(57)【要約】【課題】軸筒部材に形成する螺子山の成形精度を気にすることなく組立を容易に行うことが可能な筆記具の軸筒部材連結構造とする。【解決手段】内筒９（第二軸筒部材）の内側に、一端側と他端側とで螺子山のピッチが異なる及び／又は巻方向が異なる第一雌螺子部９ａと第二雌螺子部９ｂとを形成し、首部３（第一軸筒部材）と胴部３（第二軸筒部材）とを連接する連接筒１０の一端側を首部３の内部に固着し、且つ連接筒１０の他端側に形成した雄螺子部１０ｂを内筒９の第一雌螺子部９ａに螺合し、内筒９の他端側に形成した第二雌螺子部９ｂに、外面に雄螺子部１１ａを形成した調整螺子筒１１を螺合させ、内筒９に対して調整螺子筒１１を前後にずらし、首部３と一体となった連接筒１０の他端部を調節螺子筒１１の一端部に当接させることにより、軸心回転方向に対する首部３と内筒９との位置合わせを行う。【選択図】図６
2011207122.tif 000002
【特許請求の範囲】
【請求項１】
軸筒の軸心回転方向に対して互いの位置合わせが必要となる第一軸筒部材と第二軸部筒部材とを連結した筆記具の軸筒連結構造であって、前記第二軸筒部材の内側に、一端側と他端側とで螺子山のピッチが異なる及び／又は巻方向が異なる第一雌螺子部と第二雌螺子部とを形成し、前記第一軸筒部材と第二軸筒部材とを連接する連接筒の一端側を前記第一軸筒部材の内部に固着し、且つ前記連接筒の他端側に形成した雄螺子部を前記第二軸筒部材の第一雌螺子部に螺合し、前記第二軸筒部材の他端側に形成した第二雌螺子部に、外面に雄螺子部を形成した調整螺子筒を螺合させ、前記第二軸筒部材に対して前記調整螺子筒を前後にずらし、前記第一軸筒部材と一体となった連接筒の他端部を当該調節螺子筒の一端部に当接させることにより、軸心回転方向に対する前記第一軸筒部材と第二軸筒部材との位置合わせを行うことを特徴とした筆記具の軸筒部材連結構造。
【発明の詳細な説明】
【技術分野】
【０００１】
本発明は、筆記具の軸筒部材連結構造に関する。
【背景技術】
【０００２】
従来、特開２００９−３４８２０号公報に開示されているように、軸筒の外形形状が非円形形状のものや円形形状であっても外側面に模様や絵柄を施した筆記具では、複数の連続した軸筒部材同士を軸心回転方向に対して互いに位置合わせする構造が課題となる。特に軸筒の内部に、インクタンクやボールペンレフィルを備えた筆記具においては、隣り合う軸筒部材同士を着脱できるように螺合構造が採用されるため、軸筒部材同士を連結させた際に、螺子山の成形精度により、位置ずれが発生する可能性があった。
【先行技術文献】
【特許文献】
【０００３】
【特許文献１】特開２００９−３４８２０号公報
【発明の概要】
【発明が解決しようとする課題】
【０００４】
本発明は、軸筒部材に形成する螺子山の成形精度を気にすることなく組立を行うことが可能な筆記具の軸筒部材連結構造とすることを目的とした。
【課題を解決するための手段】
【０００５】
本発明は、
「軸筒の軸心回転方向に対して互いの位置合わせが必要となる第一軸筒部材と第二軸部筒部材とを連結した筆記具の軸筒連結構造であって、前記第二軸筒部材の内側に、一端側と他端側とで螺子山のピッチが異なる及び／又は巻方向が異なる第一雌螺子部と第二雌螺子部とを形成し、前記第一軸筒部材と第二軸筒部材とを連接する連接筒の一端側を前記第一軸筒部材の内部に固着し、且つ前記連接筒の他端側に形成した雄螺子部を前記第二軸筒部材の第一雌螺子部に螺合し、前記第二軸筒部材の他端側に形成した第二雌螺子部に、外面に雄螺子部を形成した調整螺子筒を螺合させ、前記第二軸筒部材に対して前記調整螺子筒を前後にずらし、前記第一軸筒部材と一体となった連接筒の他端部を当該調節螺子筒の一端部に当接させることにより、軸心回転方向に対する前記第一軸筒部材と第二軸筒部材との位置合わせを行うことを特徴とした筆記具の軸筒部材連結構造。」
である。
【発明の効果】
【０００６】
本発明は前記したような構造なので、軸筒を構成する第一軸筒部材と第二軸筒部材との軸心回転方向の位置合わせが、螺子山の成形精度に左右されることなく組立時の調整で行えるものとなり、軸筒の外形形状が非円形形状のものや外側面に模様を施した筆記具においても、隣り合う軸筒部材の形状や模様が一致する組立を容易に行うことができる構造となった。
【図面の簡単な説明】
【０００７】
【図１】図１は本実施例の万年筆の斜視図である。
【図２】図２は断面図である。
【図３】図３は本実施例の万年筆の組立時における要部断面図である。
【図４】図４は図３の状態から組立を行った状態の図であり、図４Ａは断面図、図４Ｂは図４Ａを後方側から見た図である。
【図５】図５は軸筒部材の位置合わせがずれた万年筆の斜視図である。
【図６】図６は軸筒部材の位置合わせを行っている状態の要部断面図であり、図６Ａは断面図、図６Ｂは図６Ａを後方側から見た図である。
【図７】図７は図６の一部拡大図である。
【図８】図８は軸筒部材の位置合わせを正確に行った状態の図であり、図８Ａは断面図、図８Ｂは図８Ａを後方側から見た図である。
【発明を実施するための最良の形態】
【０００８】
軸筒を構成する第一軸筒部材と第二軸筒部材との軸心回転方向の位置合わせが、螺子山の成形精度に左右されることなく組立時の調整で行えるものとなり、軸筒の外形形状が非円形形状のものや外側面に模様を施した筆記具においても、隣り合う軸筒部材の形状や模様が一致する組立を容易に行うことができる構造を実現した。
【実施例】
【０００９】
本実施例を図面を用いて説明する。本実施例では万年筆を例にあげて説明を行うが、本発明構造は万年筆に限定されるものではない。また、第一軸筒部材を首部とし、第二軸筒部材は胴部の内部に配する内筒としてあるが、部位や形状が限定されるものではなく、発明の範囲内で実施することができるものである。尚、本実施例の説明においては、ペン先がある側を前方と表現し反対側を後方と表現する。
【００１０】
図１に示すように、本実施例の万年筆１は、外形形状が四角形である首部２と胴部３との間に金輪４を介在させた軸筒５の前方にペン先６とペン芯７とを備えている。図２を用いて詳述すると、ペン芯７は首部２（第一軸筒部材）に挿着してあり、首部２の前方開口部２ａから露出したペン芯７の上方にペン先６を被着し、ペン芯７の後方にインキタンク８を嵌着させ、インキタンク８内のインキをペン芯７からペン先６へ供給できる構造としてある。また、胴部３の内部には内筒９（第二軸筒部材）を配してあり、連接筒１０にて首部２と内筒９とを連結してある。本実施例の連接筒１０は、前方外面に形成した雄螺子部１０ａを首部２の後方内面に形成した雌螺子部２ｂに螺合してあり、連接筒１０の後方外面に形成した雄螺子部１０ｂを、内筒９の前方側（一端側）に形成した第一雌螺子部９ａに着脱可能に螺合させている。また内筒９の後方側（他端側）には、前記第一雌螺子部９ａとは螺子山が逆螺子の第二雌螺子部９ｂを形成してあり、後部にフランジ１１ａを形成した調整螺子筒１１の雄螺子部１１ｂを螺合させている。内筒９の外形形状は、胴部３と同様に四角形形状であり、首部２の上面Ａと内筒９の上面Ｂの位置が合うことで、内筒９に被せた胴部３の上面Ｃが、図１に示すように首部２の上面Ａと一致する構造である。
【００１１】
次に図３〜図８を用いて組立時における説明を行う。図３では、首部２の雌螺子部２ｂと連接筒１０の雄螺子部１０ａとを螺合および接着する際に、金輪４を首部２の後端部２ｃと連接筒１０のフランジ部１０ｃとで挟持させ一体としてあり、また内筒９の後端部９ｃに調整螺子筒１１のフランジ１１ａが当接するまで、調整螺子筒１１の雄螺子部１１ｂと内筒９の第二雌螺子部９ｂとを螺合させている。内筒９と連接筒１０とを螺合させた状態が図４の状態であり、図３の状態から調整螺子筒１１の前端部１１ｃと連接筒１０の後端部１０ｄとが当接するまで螺合させた場合には、図４Ｂに示すように内筒９と首部２の角部の位置がずれた状態で螺合される。
【００１２】
尚、図４の状態で万年筆を組立て続けた場合には、図５に示す万年筆１のように、首部２の上面Ａと胴部３の上面Ｃとの位置がずれた状態で仕上ってしまう。本実施例では、図４Ｂの状態で角部が４５度の角度でずれていたことから、調整螺子筒１１の後端に設けたキー溝１１ｄにマイナスドライバーを当てて４分の１山分回転させ、図６や図７に示すように、調整螺子筒１１の前端部１１ｃと連接筒１０の後端部１０ｄとの間に隙間Ｓを設けた上で、図８に示すように、調整螺子筒１１の前端部１１ｃと連接筒１０の後端部１０ｄとが当接するまで螺合させることで、図８Ｂに示すように内筒９と首部２の角部の位置が一致する状態にできた。本実施例では、内筒９の前方側の第一雌螺子部９ａと後方側の第二雌螺子部９ｂとが逆螺子の関係になっていることから、連接筒１０の後端部１０ｄが調整螺子筒１１の前端部１１ｃに当接した状態でも、内筒９と連接筒１０とが同方向に回ってしまうことなく、当接した状態で前後方向の動きを規制することができた。尚、本実施例では、内筒９の前方側の第一雌螺子部９ａと後方側の第二雌螺子部９ｂとが同じ螺子方向であっても、双方の螺子山のピッチを変えることにより、連接筒１０の後端部１０ｄが調整螺子筒１１の前端部１１ｃに当接した状態でも、内筒９と連接筒１０とが同方向に回ってしまうことなく、当接した状態で前後方向の動きを規制することができる
【００１３】
図８Ｂの状態で、調整螺子筒１１の雄螺子部１１ｂと内筒９の第二雌螺子部９ｂとの間に塗布した接着剤（図示せず）を硬化させることにより、その後に連接筒１０と内筒９とを螺脱させた場合でも、調整螺子筒１１の前端部１１ｃに連接筒１０の後端部１０ｄが当接するまで螺合させることで、確実に、図１に示した万年筆１のように、首部２の上面Ａと胴部３の上面Ｃとの位置が一致した状態で組立てることができるものとなった。
【産業上の利用可能性】
【００１４】
本発明の構造は、万年筆以外のマーキングペンやボールペンなどの筆記具に採用することも可能である。
【符号の説明】
【００１５】
１…万年筆、
２…首部（第一軸筒部材）、２ａ…前方開口部、２ｂ…雌螺子部、
３…胴部（第二軸筒部材）、４…金輪、５…軸筒、
６…ペン先、７…ペン芯、８…インキタンク、
９…内筒、９ａ…第一雌螺子部、９ｂ…第二雌螺子部、９ｃ…後端部、
１０…連接筒、１０ａ…雄螺子部、１０ｂ…雄螺子部、１０ｃ…フランジ、
１１…調整螺子筒、１１ａ…フランジ、１１ｂ…雄螺子部、
１１ｃ…前端部、１１ｄ…キー溝、Ａ，Ｂ，Ｃ…上面。
【図１】
2011207122.tif 000003
【図２】
2011207122.tif 000004
【図３】
2011207122.tif 000005
【図４】
2011207122.tif 000006
【図５】
2011207122.tif 000007
【図６】
2011207122.tif 000008
【図７】
2011207122.tif 000009
【図８】
2011207122.tif 000010